(57)【要約】【課題】左右反転することがなく、画像や文字情報の表示を的確に行うことができる両面発光有機ＥＬパネルを提供する。【解決手段】第１の有機ＥＬ部１と第２の有機ＥＬ部２との対向する中央部に走査信号を印加する中間電極３を配置し、前記中間電極３とは反対側に第１の透明電極４と第２の透明電極５をそれぞれ配置し、全く異なる独立な画像や文字情報を表裏両面に対し表示する。【選択図】図１
2005267926.tif 000002
【特許請求の範囲】
【請求項１】
第１の有機ＥＬ部と第２の有機ＥＬ部との対向する中央部に走査信号を印加する中間電極を配置し、前記中間電極とは第１、第２の有機ＥＬ部を挟んで反対側に第１の透明電極と第２の透明電極をそれぞれ配置し、全く異なる独立な画像や文字情報を表裏両面に対し同時に表示可能にすることを特徴とする両面発光有機ＥＬパネル。
【請求項２】
請求項１記載の両面発光有機ＥＬパネルにおいて、前記有機ＥＬ部は単層、二層、三層以上の多層構造のいずれかの構造を有する有機ＥＬ素子であることを特徴とする両面発光有機ＥＬパネル。
【請求項３】
請求項１記載の両面発光有機ＥＬパネルにおいて、前記中間電極がＡｌ系電極であることを特徴とする両面発光有機ＥＬパネル。
【請求項４】
請求項１記載の両面発光有機ＥＬパネルにおいて、前記中間電極を電子注入電極として使用する場合は、前記第１の有機ＥＬ部、前記第２の有機ＥＬ部に対して、電子注入を容易にするため、前記第１、第２の有機ＥＬ部と前記中間電極間にＬｉ、Ｍｇ、Ｃａ、Ｃｓ、Ｅｒの単体、又はそれらの化合物を含む材料の挿入により、より多くの電子注入を可能にすることを特徴とする両面発光有機ＥＬパネル。
【請求項５】
請求項１から４の何れか一項記載の両面発光有機ＥＬパネルにおいて、前記第１の透明電極、前記第２の透明電極の一方、又は両方が、ＩＴＯ又はＩＺＯであることを特徴とする両面発光有機ＥＬパネル。
【請求項６】
請求項１から４の何れか一項記載の両面発光有機ＥＬパネルにおいて、前記第１の透明電極、前記第２の透明電極の一方、又は両方が、薄層金属であることを特徴とする両面発光有機ＥＬパネル。
【請求項７】
請求項１から４の何れか一項記載の両面発光有機ＥＬパネルにおいて、前記第１の透明電極、前記第２の透明電極の一方、又は両方が、Ｃａ薄膜とＡｇ薄膜の積層電極であることを特徴とする両面発光有機ＥＬパネル。
【請求項８】
請求項１から４の何れか一項記載の両面発光有機ＥＬパネルにおいて、前記第１の透明電極、前記第２の透明電極の両方が、それぞれ前記第１の有機ＥＬ部、前記第２の有機ＥＬ部に対して正孔注入を行い、前記中間電極が前記第１の有機ＥＬ部、前記第２の有機ＥＬ部に対して電子注入を行うことを特徴とする両面発光有機ＥＬパネル。
【請求項９】
請求項１から３の何れか一項記載の両面発光有機ＥＬパネルにおいて、前記第１の透明電極、前記第２の透明電極の両方が、それぞれ前記第１の有機ＥＬ部、前記第２の有機ＥＬ部に対して電子注入を行い、前記中間電極が前記第１の有機ＥＬ部、前記第２の有機ＥＬ部に対して正孔注入を行うことを特徴とする両面発光有機ＥＬパネル。
【請求項１０】
請求項１から４の何れか一項記載の両面発光有機ＥＬパネルにおいて、前記第１の透明電極が前記第１の有機ＥＬ部に対して正孔注入を行い、前記第２の透明電極が前記第２の有機ＥＬ部に対して電子注入を行い、前記中間電極が前記第１の有機ＥＬ部に対して電子注入を行い、かつ前記第２の有機ＥＬ部に対して正孔注入を行うことを特徴とする両面発光有機ＥＬパネル。
【請求項１１】
請求項１から４の何れか一項記載の両面発光有機ＥＬパネルにおいて、前記第１の透明電極が前記第１の有機ＥＬ部に対して電子注入を行い、前記第２の透明電極が前記第２の有機ＥＬ部に対して正孔注入を行い、前記中間電極が前記第１の有機ＥＬ部に対して正孔注入を行い、かつ前記第２の有機ＥＬ部に対して電子注入を行うことを特徴とする両面発光有機ＥＬパネル。
【請求項１２】
請求項１から１１の何れか一項記載の両面発光有機ＥＬパネルにおいて、正孔注入を行う電極と有機ＥＬ部間に、少なくとも１種以上の遷移金属元素を含む酸化物を挿入することを特徴とする両面発光有機ＥＬパネル。
【請求項１３】
請求項１２記載の両面発光有機ＥＬパネルにおいて、遷移金属元素を含む酸化物が半導体的性質を示すことを特徴とする両面発光有機ＥＬパネル。
【請求項１４】
請求項１３記載の両面発光有機ＥＬパネルにおいて、酸化物半導体が２．０ｅＶ以上のバンドギャップを持つことを特徴とする両面発光有機ＥＬパネル。
【請求項１５】
請求項１２記載の両面発光有機ＥＬパネルにおいて、遷移金属元素を含む酸化物が酸化モリブデンであることを特徴とする両面発光有機ＥＬパネル。
【請求項１６】
請求項１から１５の何れか一項記載の両面発光有機ＥＬパネルにおいて、前記中間電極が可視光の透過率１０％以下であることを特徴とする両面発光有機ＥＬパネル。
【発明の詳細な説明】
【技術分野】
【０００１】
本発明は、両面発光有機ＥＬパネルに関するものであり、詳細には、全く異なる独立な画像や文字情報を表裏両面に対し同時に表示することが可能な有機ＥＬパネルに関するものである。
【背景技術】
【０００２】
昨今、有機エレクトロルミネッセンス（ＥＬ）素子は、低駆動電圧、高輝度、超薄型、軽量、フレキシブル等の特徴を有する次世代フラットパネルディスプレイを構築できる素子として注目を集めている。
【０００３】
また、両面に発光表示できる有機ＥＬパネルとして透明有機ＥＬ素子が注目され、各所で開発されている。
【０００４】
応用例としては、以下のような報告例がある。
【０００５】
（１）有機ＥＬ層を透明電極であるＩＴＯで挟み込んだ透明電極有機ＥＬ素子（下記非特許文献１）が開示されている。
【０００６】
（２）両面発光型エレクトロルミネッセンス素子および両面自発光型情報表示素子（下記特許文献１）が開示されている。
【特許文献１】特開２０００−５８２６０号公報
【非特許文献１】Ｇ．Ｇｕ，Ｖ．Ｂｕｌｏｖｉｃ，Ｐ．Ｅ．Ｂｕｒｒｏｗｓ，ａｎｄ  Ｓ．Ｒ．Ｆｏｒｒｅｓｔ：Ａｐｐｌｉｅｄ  Ｐｈｙｓｉｃｓ  Ｌｅｔｔｅｒｓ，６８（１９），ＰＰ．２６０６−２６０８（１９９６）
【発明の開示】
【発明が解決しようとする課題】
【０００７】
しかしながら、上記した従来技術（１）は、同一情報を両面に発光するため、裏側から見ると表示が左右反転してしまうといった問題があった。
【０００８】
また、上記した従来技術（２）は、特定パターンの標識板を透明電極上に設けるため特定のパターンの表示に限られる。
【０００９】
上記した透明ＥＬ素子を用いた従来の有機ＥＬパネルは、例えば、内外に画面を有する携帯電話機等に応用される場合、通常利用時の内側ウィンドウの表示と待機時の外側ウィンドウの表示情報を使い分けるという方法を用いていた。つまり、このような従来方式では、画像を両面へ発光する場合、同一情報を両側に発光するため、裏側から見ると表示が左右反転してしまうという問題があり、両面同時表示が必要な文字情報表示板や対面型ディスプレイに応用するには画像や文字情報の表示に問題があった。
【００１０】
また、これらの上記した従来技術は、片面のみに情報表示が必要な場合においても両面に発光することから、裏側に放出された分が光エネルギー的に無駄になるといった問題があった。
【００１１】
本発明は、上記状況に鑑みて、左右反転することなく、画像や文字情報の両面同時表示を的確に行うことができる両面発光有機ＥＬパネルを提供することを目的とする。
【課題を解決するための手段】
【００１２】
本発明は、上記目的を達成するために、
〔１〕両面発光有機ＥＬパネルにおいて、第１の有機ＥＬ部と第２の有機ＥＬ部との対向する中央部に走査信号を印加する中間電極を配置し、前記中間電極とは第１、第２の有機ＥＬ部を挟んで反対側に第１の透明電極と第２の透明電極をそれぞれ配置し、全く異なる独立な画像や文字情報を表裏両面に対し同時に表示可能にすることを特徴とする。
【００１３】
〔２〕上記〔１〕記載の両面発光有機ＥＬパネルにおいて、前記有機ＥＬ部は単層、二層、三層以上の多層構造のいずれかの構造を有する有機ＥＬ素子であることを特徴とする。
【００１４】
〔３〕上記〔１〕記載の両面発光有機ＥＬパネルにおいて、前記中間電極がＡｌ系電極であることを特徴とする。
【００１５】
〔４〕上記〔１〕記載の両面発光有機ＥＬパネルにおいて、前記中間電極を電子注入電極として使用する場合は、前記第１の有機ＥＬ部、前記第２の有機ＥＬ部に対して、電子注入を容易にするため、前記第１、第２の有機ＥＬ部と前記中間電極間にＬｉ、Ｍｇ、Ｃａ、Ｃｓ、Ｅｒの単体、又はそれらの化合物を含む材料の挿入により、より多くの電子注入を可能にすることを特徴とする。
【００１６】
〔５〕上記〔１〕から〔４〕の何れか一項記載の両面発光有機ＥＬパネルにおいて、前記第１の透明電極、前記第２の透明電極の一方、又は両方が、ＩＴＯ又はＩＺＯであることを特徴とする。
【００１７】
〔６〕上記〔１〕から〔４〕の何れか一項記載の両面発光有機ＥＬパネルにおいて、前記第１の透明電極、前記第２の透明電極の一方、又は両方が、薄層金属であることを特徴とする。
【００１８】
〔７〕上記〔１〕から〔４〕の何れか一項記載の両面発光有機ＥＬパネルにおいて、前記第１の透明電極、前記第２の透明電極の一方、又は両方が、Ｃａ薄膜とＡｇ薄膜の積層電極であることを特徴とする。
【００１９】
〔８〕上記〔１〕から〔４〕の何れか一項記載の両面発光有機ＥＬパネルにおいて、前記第１の透明電極、前記第２の透明電極の両方が、それぞれ前記第１の有機ＥＬ部、前記第２の有機ＥＬ部に対して正孔注入を行い、前記中間電極が前記第１の有機ＥＬ部、前記第２の有機ＥＬ部に対して電子注入を行うことを特徴とする。
【００２０】
〔９〕上記〔１〕から〔３〕の何れか一項記載の両面発光有機ＥＬパネルにおいて、前記第１の透明電極、前記第２の透明電極の両方が、それぞれ前記第１の有機ＥＬ部、前記第２の有機ＥＬ部に対して電子注入を行い、前記中間電極が前記第１の有機ＥＬ部、前記第２の有機ＥＬ部に対して正孔注入を行うことを特徴とする。
【００２１】
〔１０〕上記〔１〕から〔４〕の何れか一項記載の両面発光有機ＥＬパネルにおいて、前記第１の透明電極が前記第１の有機ＥＬ部に対して正孔注入を行い、前記第２の透明電極が前記第２の有機ＥＬ部に対して電子注入を行い、前記中間電極が前記第１の有機ＥＬ部に対して電子注入を行い、かつ前記第２の有機ＥＬ部に対して正孔注入を行うことを特徴とする。
【００２２】
〔１１〕上記〔１〕から〔４〕の何れか一項記載の両面発光有機ＥＬパネルにおいて、前記第１の透明電極が前記第１の有機ＥＬ部に対して電子注入を行い、前記第２の透明電極が前記第２の有機ＥＬ部に対して正孔注入を行い、前記中間電極が前記第１の有機ＥＬ部に対して正孔注入を行い、かつ前記第２の有機ＥＬ部に対して電子注入を行うことを特徴とする。
【００２３】
〔１２〕上記〔１〕から〔１１〕の何れか一項記載の両面発光有機ＥＬパネルにおいて、正孔注入を行う電極と有機ＥＬ部間に、少なくとも１種以上の遷移金属元素を含む酸化物を挿入することを特徴とする。
【００２４】
〔１３〕上記〔１２〕記載の両面発光有機ＥＬパネルにおいて、遷移金属元素を含む酸化物が半導体的性質を示すことを特徴とする。
【００２５】
〔１４〕上記〔１３〕記載の両面発光有機ＥＬパネルにおいて、酸化物半導体が２．０ｅＶ以上のバンドギャップを持つことを特徴とする。
【００２６】
〔１５〕上記〔１２〕記載の両面発光有機ＥＬパネルにおいて、遷移金属元素を含む酸化物が酸化モリブデンであることを特徴とする。
【００２７】
〔１６〕上記〔１〕から〔１５〕の何れか一項記載の両面発光有機ＥＬパネルにおいて、前記中間電極が可視光の透過率１０％以下であることを特徴とする。
【発明の効果】
【００２８】
本発明によれば、二つの透明電極間に存在する有機積層の中間部に共通の走査電極を有する両面発光有機ＥＬパネルを提供することができる。中間部に非透明かつ共通の走査電極を有し、同一の走査電圧を印加し、その両側に有機ＥＬ部となる有機層が各々形成され、さらにその外に透明電極を形成することにより、両側に独立した情報表示が可能な有機ＥＬパネルを、１つの基板上に作製することが可能となる。
【発明を実施するための最良の形態】
【００２９】
第１の有機ＥＬ部と第２の有機ＥＬ部との対向する中央部に走査信号を印加する中間電極を配置し、前記中間電極とは反対側に第１の透明電極と第２の透明電極をそれぞれ配置し、全く異なる独立な画像や文字情報を表裏両面に対し表示する。
【実施例】
【００３０】
以下、本発明の実施の形態について詳細に説明する。
【００３１】
図１は、本発明の両面発光有機ＥＬパネルの構造概念図である。
【００３２】
この図において、１は第１の有機ＥＬ部、２は第２の有機ＥＬ部、３は走査信号を印加する中間電極、４は第１の透明電極、５は第２の透明電極である。
【００３３】
この第１の有機ＥＬ部１，第２の有機ＥＬ部２は、単層、二層、三層以上の多層構造のいずれの有機ＥＬ素子の構造でも作製可能である。中間電極３の電極材料としては、一例としてＡｌ系電極が使用可能である。第１の有機ＥＬ部１、第２の有機ＥＬ部２に対して、電子注入を容易にするため、前記第１、第２の有機ＥＬ部１、２と中間電極３間にＬｉ、Ｍｇ、Ｃａ、Ｃｓ、Ｅｒの単体、又はそれらの化合物を含む材料の挿入により、より多くの電子注入が可能となる。
【００３４】
例えば、中間電極３を電子注入電極として使用する場合は、第１の有機ＥＬ部１，第２の有機ＥＬ部２と中間電極３間にＬｉＦ、Ｃｓ、Ｍｇ、Ｃａ、ＥｒＦ3 、Ｃｓ2 Ｏ、ＣｓＴｅ等、種々の材料を挿入することにより、より多くの電子注入が可能となる。
【００３５】
第１の透明電極４、第２の透明電極５としては、代表的なＩＴＯ（Ｉｎｄｉｕｍ  Ｔｉｎ  Ｏｘｉｄｅ）やＩＺＯ（Ｉｎｄｉｕｍ  Ｚｉｎｃ  Ｏｘｉｄｅ）、ＣａとＡｇの積層電極等が使用可能である。また、薄層金属を用いることでも発光を得ることが可能である。
【００３６】
正孔注入を行う電極と有機ＥＬ部間に、少なくとも１種以上の遷移金属元素を含む酸化物を挿入することで正孔注入が容易になる。また、半導体的性質を示す酸化物としては、ＴｉＯ2 （３．０ｅＶ）、Ｆｅ2 Ｏ3 （２．２ｅＶ）、Ｃｕ2 Ｏ（２．２ｅＶ）、ＺｒＯ2 （５．０ｅＶ）、Ｎｂ2 Ｏ3 （３．０ｅＶ）、ＭｏＯ3 （３．０ｅＶ）、ＷＯ3 （２．７ｅＶ）、ＳｒＴｉＯ3 （３．２ｅＶ）、Ｆｅ2 ＴｉＯ3 （２．８ｅＶ）、ＢａＴｉＯ3 （３．３ｅＶ）、ＣａＴｉＯ3 （３．４ｅＶ）、ＫＴａＯ3 （３．５ｅＶ）、ＦｅＴｉＯ3 （２．８ｅＶ）等が使用可能である。なお、括弧内はそれぞれバンドギャップの値を示す。
【００３７】
図２は本発明の第１実施例を示す両面発光有機ＥＬパネルの断面図である。
【００３８】
第１実施例として、有機ＥＬ部１０（図１の第１の有機ＥＬ部１および第２の有機ＥＬ部２に対応）については、図２に示すように、ガラス基板１１上にＩＴＯ膜１２／α−ＮＰＤ膜１３（５０ｎｍ）／Ａｌｑ3 膜１４（５０ｎｍ）／ＥｒＦ3 膜１５（０．５ｎｍ）／ＡｌＮｄ膜１６（７０ｎｍ）／ＩＺＯ膜１７（５０ｎｍ）／α−ＮＰＤ膜１８（１００ｎｍ）／Ａｌｑ3 膜１９（５０ｎｍ）／ＬｉＦ膜２０（１ｎｍ）／Ａｌ電極２１（１０ｎｍ）の構造を作製した。
【００３９】
ここで、ＡｌＮｄ膜１６は中間電極（図１の中間電極３に対応）として作用し、これを厚膜化することにより、反射電極とし、単体Ａｌ薄膜を用いた場合に比べて１／２の平坦性が得られ、デバイスの短絡を防ぐことができた。
【００４０】
さらに、Ａｌ電極２１（図１の第２の透明電極５に対応）は薄層化することで半透明化した。ここで、最上部のＡｌ電極２１の代わりにＩＺＯを単に通常のスパッタにより形成すると、上部デバイスの短絡が見られた。下部デバイスは、形成後スパッタを行っても特性上に変化はなかった。これは、フローティング電極のチャージアップによるものと考えられる。
【００４１】
デバイス特性としては、上部デバイス、下部デバイスとも独立した発光が確認された。また、特性は、下部デバイスの方が良好であり、輝度２，２４４ｃｄ／ｍ2 （＠１００ｍＡ／ｃｍ2 ）が得られた。
【００４２】
次に、本発明の第２実施例について説明する。
【００４３】
第２実施例として、有機ＥＬ部１０（図１の第１の有機ＥＬ部１および第２の有機ＥＬ部２に対応）については、図３に示すように、ガラス基板１１上にＩＴＯ膜１２／α−ＮＰＤ膜１３（５０ｎｍ）／Ａｌｑ3 膜１４（５０ｎｍ）／ＥｒＦ3 膜１５（０．５ｎｍ）／ＡｌＮｄ膜１６（７０ｎｍ）／ＩＺＯ膜１７（２００ｎｍ）／α−ＮＰＤ膜１８（１００ｎｍ）／Ａｌｑ3 膜１９（５０ｎｍ）／Ｃａ膜３１（１０ｎｍ）／Ａｇ膜３２（１０ｎｍ）の積層構造を作製した。
【００４４】
この実施例による素子の特性を図４に示す。
【００４５】
第１の有機ＥＬ部に４６６ｍＡ／ｃｍ2 の電流を流したところ、８，１２６ｃｄ／ｍ2 の発光輝度が得られた。また、第２の有機ＥＬ部に２８７ｍＡ／ｃｍ2 の電流を流したところ、７，１４１ｃｄ／ｍ2 の発光輝度が得られた。
【００４６】
次に、本発明の第３実施例について説明する。第３実施例として、有機ＥＬ部１０（図１の第１の有機ＥＬ部および第２の有機ＥＬ部２に対応）については、図５に示すように、ガラス基板１１上にＩＴＯ膜１２／α−ＮＰＤ膜１３（５０ｎｍ）／Ａｌｑ3 膜１４（５０ｎｍ）／ＥｒＦ3 膜１５（０．５ｎｍ）／ＡｌＮｄ膜１６（７０ｎｍ）／ＭｏＯ3 膜３３（５ｎｍ）／α−ＮＰＤ膜１８（１００ｎｍ）／Ａｌｑ3 膜１９（５０ｎｍ）／Ｃａ膜３１（１０ｎｍ）／Ａｇ膜３２（１０ｎｍ）の積層構造を作製した。第１の有機ＥＬ部に１４．４Ｖの電圧を印加したところ、３７３ｍＡ／ｃｍ2 の電流が流れ、６７００ｃｄ／ｃｍ2 の輝度が得られた。また、第２の有機ＥＬ部に１２．８Ｖの電圧を印加したところ、５００ｍＡ／ｃｍ2 の電流が流れ、１０１０ｃｄ／ｃｍ2 の輝度が得られた。
【００４７】
図６は本発明の第４実施例の両面発光有機ＥＬパネルを上部からみた図である。
【００４８】
この図において、第１の透明電極４と第２の透明電極５は重ねて記載しているが、必ずしも重なっている必要はない。走査信号を印加する中間電極３は第１の透明電極４と第２の透明電極５の両方と交差するように配置する。簡単のため第１の有機ＥＬ部と第２の有機ＥＬ部は省いてある。第１の透明電極４と第２の透明電極５をそれぞれ第１の有機ＥＬ部と第２の有機ＥＬ部の陽極として、また走査信号を印加する中間電極３を第１の有機ＥＬ部と第２の有機ＥＬ部の陰極として使用した場合の両面発光有機ＥＬパネルの駆動波形の例を図７に示す。図７において、図７（ａ）は第１の透明電極に印加されるデータ信号を、図７（ｂ）は第２の透明電極に印加されるデータ信号を、図７（ｃ）は中間電極１に印加される走査信号を、図７（ｄ）は中間電極２に印加される走査信号を、図７（ｅ）は中間電極ｎに印加される走査信号をそれぞれ示している。
【００４９】
基本は線順次駆動であるが、第１の透明電極に印加するデータ信号と第２の透明電極に印加するデータ信号はそれぞれ任意に印加することが可能である。任意の画素の第１の透明電極に電位Ｖ、走査信号を印加する中間電極に０が印加されたときは第１の有機ＥＬ部にＶの電圧が印加され、第１の有機ＥＬ部から発光が得られる。
【００５０】
また、第２の透明電極５に電位Ｖ、走査信号を印加する中間電極３に０が印加されたときは第２の有機ＥＬ部にＶの電圧が印加され、第２の有機ＥＬ部から発光が得られる。これ以外の電位が各電極に印加された場合は発光が得られない。第１の透明電極４に印加するデータ信号と第２の透明電極５に印加するデータ信号とをそれぞれ独立にかつ任意に選択し、走査信号を印加する中間電極３に走査信号を印加することによって、第１の有機ＥＬ部と第２の有機ＥＬ部からそれぞれ独立な画像が表示可能である。
【００５１】
なお、第１の透明電極４、第２の透明電極５はその抵抗の低減のために、第１の透明電極４、第２の透明電極５上に光の取り出しを妨げない程度にＡｌやＣｒ等の不透明金属を補助配線として形成することも可能である。
【００５２】
また、第４実施例において、線順次駆動について示したが、各画素に薄膜トランジスタを取り付けアクティブ駆動させることも可能である。
【００５３】
さらに、生産コスト低減、極薄構造による省スペース、超軽量の特徴を有するディスプレイパネルとして期待できる。
【００５４】
このようにして、二つの透明電極間に存在する有機積層の中間部に共通の走査電極を有する両面発光有機ＥＬパネルが実現できた。
【００５５】
なお、本発明は上記実施例に限定されるものではなく、本発明の趣旨に基づき種々の変形が可能であり、これらを本発明の範囲から排除するものではない。
【産業上の利用可能性】
【００５６】
本発明の両面発光有機ＥＬパネルは、画像の左右反転の問題が解決された、薄型の両面文字情報表示板や、対面型ディスプレイパネル等に利用可能である。また、本発明の両面発光有機ＥＬパネルは、片面のみに情報表示が必要な場合において、片面のみに情報表示することが可能であり、エネルギー損失の問題が解決されたディスプレイパネル等に利用可能である。
【図面の簡単な説明】
【００５７】
【図１】本発明の両面発光有機ＥＬパネルの構造概念図である。
【図２】本発明の第１実施例を示す両面発光有機ＥＬパネルの断面図である。
【図３】本発明の第２実施例を示す両面発光有機ＥＬパネルの断面図である。
【図４】本発明の第２実施例を示す両面発光有機ＥＬパネルの電流密度に対する輝度特性図である。
【図５】本発明の第３実施例を示す両面発光有機ＥＬパネルの断面図である。
【図６】本発明の第４実施例の両面発光有機ＥＬパネルを上部からみた図である。
【図７】本発明の第４実施例の両面発光有機ＥＬパネルの駆動波形の例を示す図である。
【符号の説明】
【００５８】
１    第１の有機ＥＬ部
２    第２の有機ＥＬ部
３    走査信号を印加する中間電極
４    第１の透明電極
５    第２の透明電極
１０    有機ＥＬ部
１１    ガラス基板
１２    ＩＴＯ膜
１３，１８    α−ＮＰＤ膜
１４，１９    Ａｌｑ3 膜
１５    ＥｒＦ3 膜
１６    ＡｌＮｄ膜
１７    ＩＺＯ膜
２０    ＬｉＦ膜
２１    Ａｌ電極
３１    Ｃａ膜
３２    Ａｇ膜
３３    ＭｏＯ3 膜
【図１】
2005267926.tif 000003
【図２】
2005267926.tif 000004
【図３】
2005267926.tif 000005
【図４】
2005267926.tif 000006
【図５】
2005267926.tif 000007
【図６】
2005267926.tif 000008
【図７】
2005267926.tif 000009